(57)【要約】【解決手段】上部フレーム１と、底部２と、相対するはね上げ側壁３と、上部分割側壁４’、５’と下部分割側壁４”、５”とからなる相対する分割側壁４、５とからなり、且つ、分割側壁５に開口部が形成されている折り畳みコンテナーにおいて、前記下部分割側壁の下部枠５ｄを構成する側板部５ｄ１と上部水平フランジ部５ｄ２とにより形成される上部内側角部５ｄ３に、アール或いは傾斜面を形成したものである。【効果】はね上げ側壁の下方への回動の際に、はね上げ側壁の下端部が、上部内側角部に形成されたアール或いは傾斜面に当接し案内されながら、略垂直な組み立て位置まで回動することができるので、従って、折り畳みコンテナーの箱型への組み立て作業の作業性が向上する。【選択図】図７
2004067145.tif 000002
【特許請求の範囲】
【請求項１】
上部フレームと、底部と、相対するはね上げ側壁と、上部分割側壁と下部分割側壁とからなる相対する分割側壁とからなり、且つ、分割側壁に物品出し入れ用の開口部が形成されている折り畳みコンテナーにおいて、前記下部分割側壁の下部枠を構成する側板部と上部水平フランジ部とにより形成される上部内側角部に、アール或いは傾斜面が形成されていることを特徴とする折り畳みコンテナー。
【請求項２】
上部フレームと、底部と、相対するはね上げ側壁と、上部分割側壁と下部分割側壁とからなる相対する分割側壁とからなり、且つ、分割側壁に物品出し入れ用の開口部が形成されている折り畳みコンテナーにおいて、前記上部分割側壁の上部枠を構成する側板部と下部水平フランジ部とにより形成される下部内側角部に、アール或いは傾斜面が形成されていることを特徴とする折り畳みコンテナー。
【発明の詳細な説明】
【０００１】
【発明の属する技術分野】
本発明は、種々の物品の保管、輸送或いは搬送等に使用される折り畳みコンテナーに関するものである。
【０００２】
【従来の技術】
従来、額縁状の上部フレームと底部との間に配設される４枚の側壁のうち、一方の相対する長側壁を，互いにヒンジ連結された上部分割側壁と下部分割側壁とにより構成するとともに、上部フレームの下端部と上部分割側壁の上端部及び下部分割側壁の下端部と底部とを，それぞれ，ヒンジ連結し、また，もう一方の相対するはね上げ側壁と称される短側壁の上端部を上部フレームに枢支し、はね上げ側壁が，回動可能に構成されている折り畳みコンテナーにおいて、箱型に組み立てられた折り畳みコンテナーに収納されている物品を取り出したり、或いは，箱型に組み立てられた折り畳みコンテナーに物品を収納するために、上下に分割された上部分割側壁と下部分割側壁からなる長側壁の開口部を形成した折り畳みコンテナーが知られている（例えば、実開昭６３−５７２２４号公報等）。
【０００３】
また、上述した開口部に，同じく，上下に分割されているとともに，互いにヒンジ連結されている上部分割扉と下部分割扉とからなる扉部材を配設した折り畳みコンテナーが知られており、そして、上記の扉部材は，上部分割扉と上部分割側壁との間に配設されたロック部材により，上部分割側壁に対して係脱自在に構成されている（例えば、特公平５−２５７４３号公報，特開平１０−１１９９６４号公報等）。
【０００４】
箱型に組み立てられた折り畳みコンテナーを折り畳むには、先ず最初に、略垂直状態のはね上げ側壁を，上方に回動させて略水平とし、その後、長側壁を構成する上部分割側壁と下部分割側壁とを、それぞれ、ヒンジ連結部を中心に回動させて重ねることにより、上部フレームと底部とを接近させて、箱型に組み立てられた折り畳みコンテナーを、高さの低いコンパクトな状態に折り畳むことができるように構成されている。
【０００５】
また、高さの低いコンパクトな状態の折り畳みコンテナーを箱型に組み立てるには、互いに重ねられていた長側壁を構成する上部分割側壁と下部分割側壁とを、それぞれ、略面一状態とし、その後、略水平のはね上げ側壁を，下方に回動させて略垂直することにより、上部フレームと底部とを離反させて、高さの低いコンパクトな状態の折り畳みコンテナーを、箱型に組み立てることができるように構成されている。
【０００６】
【発明が解決しようとする課題】
上述した従来の折り畳みコンテナーにおいて，折り畳みコンテナーを箱型に組み立てる際には、上述したように．互いに重ねられていた長側壁を構成する上部分割側壁と下部分割側壁とを、略面一状態とし、その後、略水平のはね上げ側壁を，下方に回動させて略垂直することになるが、このはね上げ側壁の下方への回動過程において、はね上げ側壁の下端部が、下部分割側壁の下部枠の上面に載置され、はね上げ側壁の下方への回動が阻止され、折り畳みコンテナーの箱型への組み立て作業が円滑に行えないという問題があった。はね上げ側壁の下端部が、上記の下部分割側壁の下部枠の上面に載置される原因としては、合成樹脂で一体成形される下部分割側壁の下部枠が、内側に湾曲状に変形していること等が挙げられる。
【０００７】
また、箱型に組み立てられた折り畳みコンテナーを折り畳む際には、最初に、略垂直状態のはね上げ側壁を上方に回動させることになるが、このはね上げ側壁の上方への回動過程においても、はね上げ側壁の下端部が、上部分割側壁の上部枠の下面に当接し、はね上げ側壁の上方への回動が阻止され、折り畳みコンテナーの折り畳み作業が円滑に行えないという問題があった。はね上げ側壁の下端部が、上記の上部分割側壁の上部枠の下面に当接する原因としては、下部分割側壁と同様に、合成樹脂で一体成形される上部分割側壁の上部枠が、内側に湾曲状に変形していること等が挙げられる。
【０００８】
また、従来の折り畳みコンテナーにおいては、箱型に組み立てられた折り畳みコンテナーの開口部或いは開口部に配設された扉部材を開けて、中から物品を取り出す際に、物品が、開口部が形成されている上部分割側壁と下部分割側壁のうち、下部分割側壁の下部枠の上部内側角部に引っ掛かって、円滑に、物品の取り出しができないという問題があった。
【０００９】
本発明の目的は，上述した従来の折り畳みコンテナーが有する課題を解決することにある。
【００１０】
【課題を解決するための手段】
本発明は、上述した目的を達成するために、上部フレームと底部と相対するはね上げ側壁と相対する分割側壁とを有するとともに、分割側壁は、上部分割側壁と下部分割側壁とから構成され、また、一方の分割側壁には、上部分割扉と下部分割扉とからなる扉部材が配設されている折り畳みコンテナーにおいて、前記下部分割側壁の下部枠を構成する側板部と上部水平フランジ部とにより形成される上部内側角部に、アール或いは傾斜面を形成したものである。
【００１１】
【実施例】
以下に、本発明の実施例について説明するが、本発明の趣旨を越えない限り何ら、本実施例に限定されるものではない。
【００１２】
先ず最初に、分割側壁に開口部が形成されているとともに、開口部には扉部材が配設されている折り畳みコンテナーを例に、本発明の実施例について説明する。
【００１３】
図１に全体構成が示されている折り畳みコンテナーは、上部フレーム１と、底部２と、上部フレーム１の相対する短辺部１ａに、その上端部が枢支された、折り畳みコンテナーの内側方向に回動可能に構成された側壁（以下、この側壁を「はね上げ側壁」という。）３とを有している。また、上部フレーム１の相対する長辺部１ｂの一方には、上下に分割されているとともに、適当なヒンジ部材によりヒンジ連結された上部分割側壁４’と下部分割側壁４”とからなる側壁（以下、この側壁を、分割側壁という。）４が配設されている。上部フレーム１の相対する長辺部１ｂのもう一方にも、上部分割側壁５’と下部分割側壁５”とからなる分割側壁５が配設されている。上部分割側壁４’５’と上部フレーム１の長辺部１ｂとは、それぞれ、適当なヒンジ部材によりヒンジ連結されており、また、下部分割側壁４”、５”と底部２の長辺部２ａとも、それぞれ、適当なヒンジ部材によりヒンジ連結されている。
【００１４】
更に、もう一方の分割側壁５を構成する上部分割側壁５’と下部分割側壁５”には、後述する開口部が形成されており、開口部には、適当なヒンジ部材により互いにヒンジ連結された上部分割扉６’と下部分割扉６”とからなる分割扉部材６が配設されている。上部分割扉６’は、上部分割扉６’と上部分割側壁５’との間に配設された適当なロック部材Ｌにより、上部分割側壁５’にロックされるように構成されており、下部分割扉６”の下部は、下部分割側壁５”に、適当なヒンジ部材によりヒンジ連結されている。
【００１５】
図１に示されている箱型に組み立てられた折り畳みコンテナーの略垂直状態のはね上げ側壁３を、図２に示されているように、折り畳みコンテナーの内部方向に回動させて、略水平状態とし、次いで、一方の分割短側壁４を構成する上部分割側壁４’と下部分割側壁４”とを連結しているヒンジ部及びもう一方の分割側壁５を構成する上部分割側壁５’と下部分割側壁５”とを連結しているヒンジ部を、折り畳みコンテナーの内部方向に移動させて、上部分割側壁４’と下部分割側壁４”及び上部分割側壁５’と下部分割側壁５”とを、それぞれ、重ねることにより、箱型に組み立てられている折り畳みコンテナーを、図３に示されているように、上部フレーム１と底部２とが接近した状態の高さの低いコンパクトな状態に折り畳むことができるように構成されている。
【００１６】
次に、主として、図１及び図４〜図７を用いて、ヒンジ連結された上部分割扉６’と下部分割扉６”とからなる分割扉部材６を有する上部分割側壁５’及び下部分割側壁５”とからなる分割側壁５について詳細に説明する。なお、図４、図６及び図７には、分割扉部材６が配設されていない状態が示されている。
【００１７】
上部分割側壁５’は、上部枠５ａと、上部枠５ａの両端部から下方に延在する側枠５ｂとからなる略逆Ｕ字状に形成されており、上部枠５ａと側枠５ｂとにより形成される隅部には、正面形状が略三角形状の補強コーナー部５ｃが形成されている。また、下部分割側壁５”は、下部枠５ｄと、下部枠５ｄの両端部から上方に延在する側枠５ｅとからなる略Ｕ字状に形成されており、下部枠５ｄと側枠５ｅとにより形成される隅部には、正面形状が略三角形状の補強コーナー部５ｆが形成されている。このように、正面形状が略三角形状の補強コーナー部５ｃ、５ｆを形成することにより、上部枠５ａと側枠５ｂとからなる上部分割側壁５’及び下部枠５ｄと側枠５ｅとからなる下部分割側壁５”の強度及び剛性を高めることができ、ひいては、折り畳みコンテナー自体の強度及び剛性を高めることができる。
【００１８】
また、上部分割側壁５’と下部分割側壁５”とは、上部分割側壁５’の側枠５ｂの端部と下部分割側壁５”の側枠５ｅの端部を、適当なヒンジ部材により連結しヒンジ部Ｈ１を形成することにより、ヒンジ連結されている。そして、略逆Ｕ字状に形成された上部分割側壁５’と略Ｕ字状に形成された下部分割側壁５”とにより囲まれた空間部により、上述した分割扉部材６が配設される開口部Ｗ１が形成されることになる。
【００１９】
上部分割側壁５’の上部枠５ａと上部フレーム１の長辺部１ｂとは、適当なヒンジ部材によりヒンジ連結されており、また、下部分割側壁５”の下部枠５ｄと底部２の長辺部２ａとは、適当なヒンジ部材によりヒンジ連結されている。更に、上部分割扉６’の下部と下部分割扉６”の上部とは、適当なヒンジ部材により連結しヒンジ部Ｈ２を形成することにより、ヒンジ連結されており、上部分割扉６’と下部分割扉６”とのヒンジ部Ｈ２の位置は、上述した上部分割側壁５’の側枠５ｂの端部と下部分割側壁５”の側枠５ｅの端部とのヒンジ部Ｈ１の位置と同じになるように構成されている。また、上述したように、上部分割扉６’の上部と上部分割側壁５’の上部枠５ａとの間には、公知の折り畳みコンテナーのように、適当なロック部材Ｌが配設されている。
【００２０】
図１に示されているように、折り畳みコンテナーが、箱型に組み立てられた状態においては、図１や図５に示されているように、はね上げ側壁３は、略垂直状態で、且つ、一方の分割短側壁４を構成する上部分割側壁４’と下部分割側壁４”、もう一方の分割側壁５を構成する上部分割側壁５’と下部分割側壁５”及び上部分割扉６’と下部分割扉６”とは、略面一状態に略垂直に並設されており、上部分割扉６’と上部分割側壁５’の上部枠５ａとは、適当なロック部材Ｌによりロックされており、従って、不用意に、上部分割扉６’と下部分割扉６”とからなる分割扉部材６が開くことがないように構成されている。
【００２１】
上部分割扉６’や下部分割扉６”とからなる分割扉部材６を開けるには、先ず最初に、上述した箱型に組み立てられた折り畳みコンテナーのロック状態から、上部分割扉６’と上部分割側壁５’の上部枠５ａとの間に配設されたロック部材Ｌによるロック状態を解除する。その後、上部分割扉６’を、上部分割扉６’と下部分割扉６”とのヒンジ部Ｈ２を中心に、外側に回動させることにより、下部分割扉６”に重ねる。その後、互いに重ねられた上部分割扉６’と下部分割扉６”とを、下部分割扉６”と下部分割側壁５”の下部枠５ｄとをヒンジ連結しているヒンジ部を中心に外側に回動させることにより、上部分割扉６’と下部分割扉６”とを、図８に示されているように、開けることができる。このように分割扉部材６を開けて、上部分割側壁５’と下部分割側壁５”とからなる分割側壁５に、出し入れ開口部Ｗ２を形成し、箱型に組み立てられた折り畳みコンテナーへの物品の出し入れを行う。
【００２２】
上述したように、下部分割側壁５”は、下部枠５ｄと下部枠５ｄの両端部から上方に延在する側枠５ｅとからなる略Ｕ字状に形成されており、そして、下部枠５ｄは、折り畳みコンテナーが箱型に組み立てられた状態において、折り畳みコンテナーの内壁面を構成する平板状の側板部５ｄ１と、側板部５ｄ１の上端から、側板部５ｄ１に対して略直交するように外側に延在する上部水平フランジ部５ｄ２とを有している。ところで、本実施例においては、図５や図７に示されているように、側板部５ｄ１と上部水平フランジ部５ｄ２とにより構成される上部内側角部５ｄ３に形成されているアールＲが、大きく形成されている。例えば、上部内側角部５ｄ３のアールＲは、その半径が、３ｍｍ以上、好ましくは、５ｍｍ以上に形成されている。
【００２３】
図９には、上述したアールＲに代えて、側板部５ｄ１と上部水平フランジ部５ｄ２とにより構成される上部内側角部５ｄ３に、傾斜面Ｓが形成されている例が示されている。
【００２４】
上述したように、下部分割側壁５”を構成する下部枠５ｄの側板部５ｄ１と上部水平フランジ部５ｄ２とにより構成される上部内側角部５ｄ３に、大きなアールＲを形成したり、或いは、傾斜面Ｓを形成することにより、折り畳みコンテナーの箱型への組み立て作業において、はね上げ側壁３を、略水平状態から垂直方向に回動させた際に、はね上げ側壁３の下端部３ａが、下部枠５ｄの上部水平フランジ部５ｄ２に当接しても、はね上げ側壁３は、その下端部３ａが、上部内側角部５ｄ３に形成された大きなアールＲ、或いは、傾斜面Ｓに当接し案内されながら、略垂直な、図１に示されている組み立て位置まで回動することができるので、折り畳みコンテナーの組み立て作業の作業性が向上することになる。
【００２５】
上述したように、合成樹脂で一体成形された下部分割側壁５”が変形している場合があり、そのために、下部分割側壁５”の下部枠５ｄが、折り畳みコンテナーが箱型に組み立てられた際に、内側に湾曲している場合がある。このように、下部枠５ｄが内側に湾曲していると、はね上げ側壁３を、略水平状態から垂直方向に回動させた際に、はね上げ側壁３の下端部３ａが、下部枠５ｄの上部水平フランジ部５ｄ２に載置され、はね上げ側壁３のそれ以上の下方への回動が阻止されることになる。このように、はね上げ側壁３の下方への回動が阻止された場合には、作業者は、下部分割側壁５”の下部枠５ｄを、箱型に組み立てられた折り畳みコンテナーの内側から外側に押して下部枠５ｄの変形を是正し、下部枠５ｄの上部水平フランジ部５ｄ２に載置されているはね上げ側壁３の下端部３ａを、下部枠５ｄの上部水平フランジ部５ｄ２から外さなければならず、従って、折り畳みコンテナーの組み立て作業の作業性が低下することになる。
【００２６】
しかしながら、本発明においては、上述したように、はね上げ側壁３を、略水平状態から垂直方向に回動させた際に、はね上げ側壁３の下端部３ａが、下部枠５ｄの上部水平フランジ部５ｄ２に当接しても、上部水平フランジ部５ｄ２に載置されることなく、はね上げ側壁３は、その下端部３ａが、上部内側角部５ｄ３に形成された大きなアールＲ、或いは、傾斜面Ｓに当接し案内されながら、略垂直な組み立て位置まで回動することになるので、折り畳みコンテナーの組み立て作業の作業性が低下するようなことを防止することができる。
【００２７】
また、本実施例においては、上部分割側壁５’の上部枠５ａも、折り畳みコンテナーの内壁面を構成する平板状の側板部５ａ１と、側板部５ａ１の下端から、側板部５ａ１に対して略直交するように外側に延在する下部水平フランジ部５ａ２とを有しており、そして、図５や図６や図９に示されているように、側板部５ａ１と下部水平フランジ部５ａ２とにより構成される下部内側角部５ａ３には、同様に、大きなアールＲ、或いは、傾斜面Ｓが形成されている。
【００２８】
上述したように、上部分割側壁５’の上部枠５ａの下部内側角部５ａ３にも、同様の大きなアールＲ、或いは、傾斜面Ｓを形成することにより、箱型に組み立てられた折り畳みコンテナーを折り畳むに際に、最初に上方に回動されるはね上げ側壁の下端部３ａが、上部枠５ａの下部水平フランジ部５ａ２に当接しても、はね上げ側壁３は、その下端部３ａが、下部内側角部５ａ３に形成された大きなアールＲ、或いは、傾斜面Ｓに当接し案内されながら、略水平な、図３に示されている折り畳み位置まで回動することができるので、折り畳みコンテナーの折り畳み作業の作業性が向上することになる。
【００２９】
また、下部分割側壁５”を構成する下部枠５ｄの側板部５ｄ１と上部水平フランジ部５ｄ２とにより構成される上部内側角部５ｄ３に、大きなアールＲ或いは傾斜面Ｓが形成されているので、箱型に組み立てられた折り畳みコンテナーから物品を取り出す際に、物品が上部内側角部５ｄ３に引っ掛かるようなことがなく、従って、物品を取り出しが容易になる。
【００３０】
図１０及び図１１には、上述した実施例における上部分割側壁５’と下部分割側壁５”とからなる分割側壁５に配設されている扉部材６を省略した実施例であり、扉部材６が配設されていない以外は、実質的に、上述した実施例と同じであるので、その詳細な説明は省略する。
【００３１】
なお、相対する長側壁を構成する上部分割側壁、４’５’と下部分割側壁４”、５”に物品の出し入れを行う開口部を形成する代わりに、はね上げ側壁３に開口部を形成するように構成することもできる。この場合にも、はね上げ側壁３に形成された開口部を構成する下枠の内側角部に、大きなアール或いは傾斜面を形成することにより、箱型に組み立てられた折り畳みコンテナーから物品を取り出す際に、物品が内側角部に引っ掛かるようなことがなく、従って、物品を取り出しが容易になる。
【００３２】
また、上述した実施例には、相対する分割側壁４、５のうち、一方の分割側壁５にのみ開口部Ｗ１が形成されている例が示されているが、当然のことながら、もう一方の分割側壁４にも開口部Ｗ１を形成することもできる。
【００３３】
【発明の効果】
本発明は、以上説明したように構成されているので、以下に記載されるような効果を奏する。
【００３４】
下部分割側壁の下部枠を構成する側板部と上部水平フランジ部とにより形成される上部内側角部に、アール或いは傾斜面を形成したので、はね上げ側壁の下方への回動の際に、はね上げ側壁の下端部が、下部枠の上部内側角部に形成されたアール或いは傾斜面に当接し案内されながら、略垂直な組み立て位置まで回動することができるので、従って、折り畳みコンテナーの箱型への組み立て作業の作業性が向上する。
【００３５】
下部分割側壁を構成する下部枠の側板部と上部水平フランジ部とにより構成される上部内側角部に、アール或いは傾斜面が形成されているので、箱型に組み立てられた折り畳みコンテナーから物品を取り出す際に、物品が上部内側角部に引っ掛かるようなことがなく、従って、物品を取り出しが容易になる。
【００３６】
上部分割側壁の上部枠を構成する側板部と下部水平フランジ部とにより形成される下部内側角部に、アール或いは傾斜面を形成したので、はね上げ側壁の下方への回動の際に、はね上げ側壁の下端部が、上部枠の下部内側角部に形成されたアール或いは傾斜面に当接し案内されながら、略水平な折り畳み位置まで回動することができるので、従って、折り畳みコンテナーの折り畳み作業の作業性が向上することになる。
【図面の簡単な説明】
【図１】図１は本発明の折り畳みコンテナーが箱型に組み立てられた状態の斜視図である。
【図２】図２は本発明の折り畳みコンテナーの折り畳み途中の斜視図である。
【図３】図３は本発明の折り畳みコンテナーが高さの低いコンパクトな状態に折り畳まれた状態の斜視図である。
【図４】図４は本発明の折り畳みコンテナーの分割扉部材が省略された状態の分割側壁側の正面図である。
【図５】図５は本発明の折り畳みコンテナーの分割扉部材が配設された分割側壁のはね上げ側壁に沿った垂直断面図である。
【図６】図６は本発明の折り畳みコンテナーの上部フレームと分割扉部材が配設された分割側壁の部分斜視図である。
【図７】図７は本発明の折り畳みコンテナーの底部と分割扉部材が配設された分割側壁の部分斜視図である。
【図８】図８は本発明の箱型に組み立てられた折り畳みコンテナーの分割扉部材が開いた状態の斜視図である。
【図９】図９は本発明の別の実施例の折り畳みコンテナーの分割扉部材が配設された分割側壁のはね上げ側壁に沿った垂直断面図である。
【図１０】図１０は本発明の更に別の実施例の折り畳みコンテナーが箱型に組み立てられた状態の斜視図である。
【図１１】図１１は図１０に示されている実施例のはね上げ側壁に沿った分割側壁の垂直断面図である。
【符号の説明】
１・・・・・・・・・・・・・・上部フレーム
２・・・・・・・・・・・・・・底部
３・・・・・・・・・・・・・・はね上げ側壁
４、５・・・・・・・・・・・・分割側壁
４’、５’・・・・・・・・・・上部分割側壁
４”、５”・・・・・・・・・・下部分割側壁
５ｄ・・・・・・・・・・・・・下部枠
５ｄ１・・・・・・・・・・・・側板部
５ｄ２・・・・・・・・・・・・上部水平フランジ部
５ｄ３・・・・・・・・・・・・上部内側角部
６・・・・・・・・・・・・・・分割扉部材
６’・・・・・・・・・・・・・上部分割扉
６”・・・・・・・・・・・・・下部分割扉
【図１】
2004067145.tif 000003
【図２】
2004067145.tif 000004
【図３】
2004067145.tif 000005
【図４】
2004067145.tif 000006
【図５】
2004067145.tif 000007
【図６】
2004067145.tif 000008
【図７】
2004067145.tif 000009
【図８】
2004067145.tif 000010
【図９】
2004067145.tif 000011
【図１０】
2004067145.tif 000012
【図１１】
2004067145.tif 000013